(57)【要約】      （修正有）【課題】絵柄自体を嵌め変えたりといったような構成上の変化を要することなく、簡単な操作のみで２通りの外観を呈せしむることができる蓋付箱を提供する。【解決手段】箱体１と、蓋体２と、箱体と蓋体を連結する連結帯３からなり、連結帯を箱体に巻回させると蓋体の上面２１が全体の上面として露出され、連結帯を蓋体に巻回させると連結帯の一面が全体の上面として露出されるように構成されている連結帯を有する蓋付箱Ａを提供する。【選択図】図３
0003158745.tif 000002
【実用新案登録請求の範囲】
【請求項１】
箱体と、蓋体と、箱体と蓋体を連結する連結帯、から構成される連結帯を有する蓋付箱であり、
連結帯の一端が箱体に固着あるいは固定され、連結帯の他端が蓋体に固着あるいは固定され、
連結帯を箱体に巻回させた場合に、箱体と蓋体が接する部分にて該連結帯が蝶番の役割を果たし、箱体と蓋体を閉じると蓋体の上板の表面が全体の上面として露出され、
連結帯を蓋体に巻回させた場合に、箱体と蓋体が接する部分にて該連結帯が蝶番の役割を果たし、箱体と蓋体を閉じると連結帯の一面が全体の上面として露出される、
ように構成されていることを特徴とする連結帯を有する蓋付箱。
【請求項２】
箱体に、上部が箱体の上端より上方に延伸された中箱を有することを特徴とする、請求項１に記載の連結帯を有する蓋付箱。
【請求項３】
連結帯を箱体に巻回させ、箱体と蓋体を閉じた場合に、蓋体の上板の表面に表示された色面あるいは図柄あるいは文字あるいは色面と図柄と文字の任意の組み合わせが連結帯を有する蓋付箱の全体の上面として露出され、
連結帯を蓋体に巻回させ、箱体と蓋体を閉じた場合に、連結帯の一面に表示された色面あるいは図柄あるいは文字あるいは色面と図柄と文字の任意の組み合わせが連結帯を有する蓋付箱の上面として露出される、
ことを特徴とする請求項１あるいは請求項２に記載の連結帯を有する蓋付箱。
【考案の詳細な説明】
【技術分野】
【０００１】
本考案は、下記の構成を有する連結帯を有する蓋付箱に関するものである。
＜構成１＞
箱体と、蓋体と、箱体と蓋体を連結する連結帯、から構成される連結帯を有する蓋付箱であり、
連結帯の一端が箱体に固着あるいは固定され、連結帯の他端が蓋体に固着あるいは固定され、
連結帯を箱体に巻回させた場合に、箱体と蓋体が接する部分にて該連結帯が蝶番の役割を果たし、箱体と蓋体を閉じると蓋体の上板の表面が全体の上面として露出され、
連結帯を蓋体に巻回させた場合に、箱体と蓋体が接する部分にて該連結帯が蝶番の役割を果たし、箱体と蓋体を閉じると連結帯の一面が全体の上面として露出される、
ように構成されていることを特徴とする連結帯を有する蓋付箱。
＜構成２＞
箱体に、上部が箱体の上端より上方に延伸された中箱を有することを特徴とする、構成１に記載の連結帯を有する蓋付箱。
＜構成３＞
連結帯を箱体に巻回させ、箱体と蓋体を閉じた場合に、蓋体の上板の表面に表示された色面あるいは図柄あるいは文字あるいは色面と図柄と文字の任意の組み合わせが連結帯を有する蓋付箱の全体の上面として露出され、
連結帯を蓋体に巻回させ、箱体と蓋体を閉じた場合に、連結帯の一面に表示された色面あるいは図柄あるいは文字あるいは色面と図柄と文字の任意の組み合わせが連結帯を有する蓋付箱の上面として露出される、
ことを特徴とする構成１あるいは構成２に記載の連結帯を有する蓋付箱。
【背景技術】
【０００２】
従来から、菓子類や食料品、衣料品などを収容するために、箱体と蓋体から構成される蓋付箱、一般に「化粧箱」と呼称されるものが用いられてきた。このような蓋付箱ＢＸは、例えば図１０ａ、１０ｂに示すようなもので、箱体Ｂ１には中箱Ｎ１が固着されており、中箱Ｎ１の上部に蓋体Ｃ１が嵌着固定される構成である。このような蓋付箱ＢＸは、箱体Ｂ１、蓋体Ｃ１、中箱Ｎ１共に紙製のものが多く、蓋体Ｃ１の上面には、図１０ａに示すように図柄ＤＧが印刷されているものもある。
【０００３】
図柄ＤＧは、多くの場合、蓋付箱ＢＸに収納される内容物（図示せず）に相関するようなものが印刷される。例えば、図１０ａの蓋付箱ＢＸの蓋体Ｃ１の上面に印刷されている図柄ＤＧは犬の絵であるが、一例として、内容物が犬の形状のチョコレート（図示せず）である場合には、内容物と図柄ＤＧが一致しているとみなされるので、販売者も購買者も特に違和感は感じない。
【０００４】
しかしながら、もし内容物が猫の形状のチョコレート（図示せず）であった場合、これを、犬の図柄ＤＧが表示された蓋付箱ＢＸに収納してしまうと、販売者も購買者も大きな違和感を感じることとなる。したがって、この場合には、例えば図１０ｃに示すように蓋体Ｃ２に猫の図柄ＣＴを印刷した蓋付箱ＢＹを別に製作してこれに納めなければならないことになる。
【０００５】
このように、蓋付箱は、収容される内容物の種類に応じて蓋体に印刷される図柄を変えなければならない。この際、例えば、犬の図柄ＤＧを蓋体Ｃ１に印刷した蓋付箱ＢＸと猫の図柄ＣＴを蓋体Ｃ２に印刷した蓋付箱ＢＹを同数製作したとして、もし蓋付箱ＢＸに収納された犬の形状のチョコレート（図示せず）よりも蓋付箱ＢＹに収納された猫の形状のチョコレート（図示せず）の方が人気があり、売れ行きが良い場合、蓋付箱ＢＹは不足するが蓋付箱ＢＸは余剰になってしまうということになる。
【０００６】
同様の事情は、例えばバレンタインデーのチョコレートを収容する蓋付箱（図示せず）と、ホワイトデーのチョコレートを収容する蓋付箱（図示せず）との間にも起きる可能性がある。さらに、収容物が季節物といわれる、季節によって売上が大きく変動するものの場合、例えば夏用として作った蓋付箱が余り、冬用として作った蓋付箱が不足するとか、その逆の場合もあり得る。
【０００７】
蓋付箱の蓋体に印刷される図柄は、前述のような犬や猫のように具体的なもの以外でも、抽象的なものでも良いし、文字でも良いし、あるいは文字と図柄の組み合わせでも良い。さらには全く無地の色面だけでも良いし、無地の色面に図柄や文字を組み合わせても良い。例えば、バレンタインデーのチョコレートを収容する蓋付箱であれば蓋体に赤色の色面だけを印刷しても良いし、ホワイトデーのチョコレートを収容する蓋付箱であれば白色や青色の色面が印刷された蓋体を用いることもできる。
【０００８】
このように、蓋体に印刷される色面や絵柄や文字は、箱体に収容される内容物に大きく依存する結果、内容物の売れ行き次第で、対応する蓋付箱が不足したり、逆に余剰になったりする。そこで、せめて二通りの用途に使いまわしの効く蓋付箱があれば、蓋付箱の製造数を減らし、かつ無駄に廃棄される蓋付箱を減少させることもできるので、このような蓋付箱の開発が希求されてきた。
【先行技術文献】
【特許文献】
【０００９】
従来より、広告宣伝の分野などで、箱に装着された図柄を交換できる発明、考案は、下記のようにいくつか提案されている。しかしながらこれらはいずれも絵柄自体を嵌め替えることによって絵柄を変えるものであり、上記のように「二通りの用途に使いまわしの効く蓋付箱」という条件を満たすものではない。すなわち、化粧箱のように、一度に大量の同一製品が製造される場合、膨大な数の蓋付箱の絵柄を嵌めかえるということになり、非現実的である。そのような手間をかけるくらいなら異なるデザインを印刷した普通の蓋付箱を２種類用意した方が手間も経費も安上がりである。なにより下記特許文献に記載の発明、考案は、仕組みが複雑で製造原価もはるかに高くなる。普通の蓋付箱（化粧箱）と同じような簡単な構造でなければ、流通させることさえ不可能となる。
【特許文献１】特開２００８−６５１６８号公報
【特許文献２】登録実用新案第３１３６４０６号公報
【特許文献３】登録実用新案第３０９９６０７号公報
【考案の概要】
【考案が解決しようとする課題】
【００１０】
上記より、本考案の解決しようとする課題を、以下のとおりに設定した。
＜課題１＞
例えば絵柄自体を嵌め変えたりといったような構成上の変化を要することなく、２通りの外観を呈せしむることができる蓋付箱を開発する。すなわち、簡単な操作のみで外観を２通りに変化させられるような蓋付箱を開発する。
＜課題２＞
構成や製造方法はあくまで通常の蓋付箱に準ずるものとして、大量生産に対応できるものとする。
【課題を解決するための手段】
【００１１】
本考案は、上記課題を解決するためになされたものであり、以下に示す解決手段を提供する。
＜解決手段１＞
箱体と、蓋体と、箱体と蓋体を連結する連結帯、から構成される連結帯を有する蓋付箱であり、
連結帯の一端が箱体に固着あるいは固定され、連結帯の他端が蓋体に固着あるいは固定され、
連結帯を箱体に巻回させた場合に、箱体と蓋体が接する部分にて該連結帯が蝶番の役割を果たし、箱体と蓋体を閉じると蓋体の上板の表面が全体の上面として露出され、
連結帯を蓋体に巻回させた場合に、箱体と蓋体が接する部分にて該連結帯が蝶番の役割を果たし、箱体と蓋体を閉じると連結帯の一面が全体の上面として露出される、
ように構成されていることを特徴とする連結帯を有する蓋付箱。
＜解決手段２＞
箱体に、上部が箱体の上端より上方に延伸された中箱を有することを特徴とする、解決手段１に記載の連結帯を有する蓋付箱。
＜解決手段３＞
連結帯を箱体に巻回させ、箱体と蓋体を閉じた場合に、蓋体の上板の表面に表示された色面あるいは図柄あるいは文字あるいは色面と図柄と文字の任意の組み合わせが連結帯を有する蓋付箱の全体の上面として露出され、
連結帯を蓋体に巻回させ、箱体と蓋体を閉じた場合に、連結帯の一面に表示された色面あるいは図柄あるいは文字あるいは色面と図柄と文字の任意の組み合わせが連結帯を有する蓋付箱の上面として露出される、
ことを特徴とする解決手段１あるいは解決手段２に記載の連結帯を有する蓋付箱。
【考案の効果】
【００１２】
本考案の連結帯を有する蓋付箱は、箱体と、蓋体と、箱体と蓋体を連結する連結帯、から構成される連結帯を有する蓋付箱であり、連結帯の一端が箱体に固着あるいは固定され、連結帯の他端が蓋体に固着あるいは固定され、連結帯を箱体に巻回させた場合に、箱体と蓋体が接する部分にて該連結帯が蝶番の役割を果たし、箱体と蓋体を閉じると蓋体の上板の表面が全体の上面として露出され、連結帯を蓋体に巻回させた場合に、箱体と蓋体が接する部分にて該連結帯が蝶番の役割を果たし、箱体と蓋体を閉じると連結帯の一面が全体の上面として露出されるように構成されているので、図柄自体を嵌め変えたりといった構成自体の変化を生じることなく、ただ蓋体と箱体を閉じる際に連結帯を箱体に巻回させるか蓋体に巻回させるかという操作の選択だけで、簡単に２通りの外観を呈せしむることができる。すなわち、内容物の種類に応じた表面の外観に簡単に変化させられる。
【００１３】
さらには、通常の構成の蓋付箱に連結帯を追加しただけの構成であるので、通常の蓋付箱の製造と殆ど変わらない工程にて製造でき、製造原価も安価であり、大量生産に向き、販売、流通の現場にても、通常の蓋付箱と殆ど変わらない要領で取り扱えるものである。しかも、連結帯によって蓋体と箱体が連結されているので蓋体と箱体が分離されてしまうことがない。
【００１４】
またさらに、一つの蓋付箱において２通りの表示面を使い分けられるので、販売面でも消費者に斬新な印象を与えることができ、箱自体の有するノベリティ効果も高いものとなると考えられる。したがって、アイデア次第で、さまざまな用い方が可能であり、さらなる展開の面白さと可能性を有したものであるといい得る。
【図面の簡単な説明】
【００１５】
【図１】（ａ）本考案の実施例１の連結帯を有する蓋付箱の連結帯を蓋体に巻回させた状態の外観斜視図である。（ｂ）本考案の実施例１の連結帯を有する蓋付箱の連結帯を箱体に巻回させた状態の外観斜視図である。
【図２】（ａ）本考案の実施例１の連結帯を有する蓋付箱の連結帯を蓋体に巻回させた状態にて蓋体を開いた状態の外観斜視図である。（ｂ）本考案の実施例１の連結帯を有する蓋付箱の連結帯を箱体に巻回させた状態にて蓋体を開いた状態の外観斜視図である。
【図３】本考案の実施例１の連結帯を有する蓋付箱の連結帯を蓋体にも箱体にも巻回させない状態の外観斜視図である。
【図４】本考案の実施例１の連結帯を有する蓋付箱の箱体、蓋体、連結帯を展開させた状態の平面図である。
【図５】（ａ）図４のＡ−Ａ線断面図である。（ｂ）図５ａの要部の拡大図である。
【図６】（ａ）本考案の実施例１の連結帯を有する蓋付箱の作用を説明するための説明図である。（ｂ）本考案の実施例１の連結帯を有する蓋付箱の作用を説明するための説明図である。
【図７】（ａ）本考案の実施例１の連結帯を有する蓋付箱の作用を説明するための説明図である。（ｂ）本考案の実施例１の連結帯を有する蓋付箱の作用を説明するための説明図である。
【図８】（ａ）本考案の実施例１の連結帯を有する蓋付箱の作用を説明するための説明図である。（ｂ）本考案の実施例１の連結帯を有する蓋付箱の作用を説明するための説明図である。
【図９】（ａ）本考案の実施例１の連結帯を有する蓋付箱の作用を説明するための説明図である。（ｂ）本考案の実施例１の連結帯を有する蓋付箱の作用を説明するための説明図である。
【図１０】（ａ）従来の蓋付箱の一例の外観斜視図である。（ｂ）従来の蓋付箱の一例の、蓋体を開いた状態の外観斜視図である。（ｃ）従来の蓋付箱の別の一例の外観斜視図である。
【考案を実施するための形態】
【００１６】
本考案を実施するための形態を、図面を参照しながら詳細に説明する。
【実施例１】
【００１７】
＜実施例１の構成＞
本考案の実施例１の連結帯を有する蓋付箱Ａを、図１〜図９に示す。蓋付箱Ａは、箱体１、蓋体２、箱体１と蓋体２を連結する連結帯３、箱体１に貼着により嵌設固着された中箱４から構成されており、図５ａに見るように、連結帯３の一端３ａが箱体１の後板１３の正面と中箱４の間に貼着により固着され、連結帯３の他端３ｂが蓋体２の前板２２の背面に貼着により固着されている。
【００１８】
また、蓋体２の上板２１の表面には猫の図柄ＣＴと文字Ｌｃｔと色面Ｃｃｔの組み合わせが印刷によって表示され（図３参照）、連結帯３の表面３１には犬の図柄ＤＧと文字Ｌｄｇと色面Ｃｄｇの組み合わせが印刷によって表示されている。なお、図５ａにおいては、連結帯３の表面３１が下になり、裏面３２が上になった状態であるが、図１ａのように連結帯３を蓋体２に巻回させた状態にては、表面３１が上に位置する。
【００１９】
図１ａ及び図７ｂにては、連結帯３を蓋体２の上板２１及び前板２２、後板２３に巻回させて箱体１と蓋体２を閉じ、蓋付箱Ａの全体の上面に連結帯３の表面３１に表示された犬の図柄ＤＧと文字Ｌｄｇと色面Ｃｄｇの組み合わせを露出させた状態を示し、図１ｂ及び図９ｂにては、連結帯３を箱体１の下板１１及び前板１２、後板１３に巻回させて箱体１と蓋体２を閉じ、蓋付箱Ａの全体の上面に蓋体２の上板２１の表面に表示された猫の図柄ＣＴと文字Ｌｃｔと色面Ｃｃｔの組み合わせを露出させた状態を示す。
【００２０】
図２ａは、図１ａの状態の蓋付箱Ａの蓋体２を開きかけた状態を示しており、箱体１の後板１３と蓋体２の後板２３が連結帯３を介して接する部分にて連結帯３が蝶番の役割を果たしており、蓋付箱Ａは箱体１の前板１２から蓋体２の前板２２が分離されることによって開かれる。また、図２ｂは、図１ｂの状態の蓋付箱Ａの蓋体２を開きかけた状態を示しており、箱体１の前板１２と蓋体２の前板２２が連結帯３を介して接する部分にて連結帯３が蝶番の役割を果たしており、蓋付箱Ａは箱体１の後板１３から蓋体２の後板２３が分離されることによって開かれる。
【００２１】
図３は蓋付箱Ａの箱体１と蓋体２が完全に分離された状態を示し、箱体１と蓋体２が連結帯３にて連結されている状態が表されている。通常の使用状態にては、このような状態となることはないが、蓋付箱Ａの構成を明確に示すために、蓋体２あるいは箱体１に巻回されていた状態の連結帯３を展開して示したものである。また図４は、蓋付箱Ａの箱体１、蓋体２、連結帯３を完全に展開した状態の平面視を示している。
【００２２】
図５ａは図４のＡ−Ａ線断面図であり、図５ｂには図５ａの要部、すなわち、連結帯３の一端３ａが箱体１の後板１３の正面と中箱４の間に挟着され貼着により固着されている状態、及び連結帯３の他端３ｂが蓋体２の前板２２の背面に貼着により固着されている状態を、拡大図によって示している。
【００２３】
＜実施例１の作用＞
【００２４】
以下には、実施例１の連結帯を有する蓋付箱Ａが、図４及び図５ａに示す展開された状態から、図１ａあるいは図１ｂに示す箱体１と蓋体２が閉じられた状態に移行する過程を詳細に説明する。まず、図４及び図５ａに示す展開された状態から、図１ａに示す犬の図柄ＤＧと文字Ｌｄｇと色面Ｃｄｇの組み合わせが蓋付箱Ａの全体の上面に露出された状態に移行する過程を説明する。
【００２５】
図６ａは図５ａの要部を拡大して示したものである。図６ａにて、犬の図柄ＤＧは連結帯３の表面３１に、猫の図柄ＣＴは、蓋体２の上板２１の表面に、夫々印刷により表示されている。ここで、連結帯３の他端３ｂが蓋体２の前板２２の下端に当接する部分Ｐ１を枢軸として蓋体２全体を図６ａにて反時計回りの方向Ｘ１に回動させる。すると、蓋体２の前板２２の正面部分が連結帯３の部分３ｄに当接して図６ｂに示すように蓋体２が略直立した状態となる。
【００２６】
次に、図６ｂにて、連結帯３の他端３ｂに連続する部分３ｄが蓋体２の前板２２の上端に当接する部分Ｐ２を枢軸として蓋体２全体を図６ａにてさらに反時計回りの方向Ｘ２に回動させる。すると、蓋体２の上板２１全体が連結帯３の裏面３２に当接して、図７ａに示すように、蓋体２は上下が略反転された状態となる。
【００２７】
この状態で、さらに連結帯３の一端３ａの端部が蓋体２の上板２１と後板２３の接合部分に当接する部分Ｐ３を枢軸として蓋体２全体をさらに反時計回りの方向Ｘ３に回動させると、蓋体２は図７ａに仮想線（二点鎖線）で示す状態となって再び略直立する。この状態にて、蓋体２の後板２３は連結帯３の一端３ａに隣接する部分３ｃに当接する。
【００２８】
この状態で、さらに連結帯３の一端３ａが箱体１の後板１３の上端部に当接する部分Ｐ４を枢軸として蓋体２全体をさらに反時計回りの方向Ｘ４に回動させると、蓋体２は中箱４の上部の露出された部分に嵌めこまれて、図７ｂに示すように蓋体２が完全に閉じられた状態、すなわち図１ａに示す状態となる。この状態にて、図１ａに示すように、連結帯３の表面３１に印刷された犬の絵柄ＤＧと色面Ｃｄｇと文字Ｌｄｇの組み合わせは、蓋付箱Ａの全体の上面に露出された状態となる。また、連結帯３は蓋体２の上板２１、前板２２、後板２３に巻回された状態である。なお、図７ｂの楕円内拡大図に示される３０は、連結帯３の本体を表す。
【００２９】
次に、図４及び図５ａに示す展開された状態から、図１ｂに示す猫の図柄ＣＴと文字Ｌｃｔと色面Ｃｃｔの組み合わせが蓋付箱Ａの全体の上面に露出された状態に移行する過程を説明する。
【００３０】
図８ａは図５ａの要部を拡大して示したものである。図８ａにて、犬の図柄ＤＧは連結帯３の表面３１に、猫の図柄ＣＴは、蓋体２の上板２１の表面に、夫々印刷により表示されている。ここで、連結帯３の他端３ｂが蓋体２の前板２２の下端に当接する部分Ｐ１を枢軸とし、箱体１全体を持ち上げてその水平状態を保持しながら連結帯３の一端３ａと他端３ｂを除く部分を図８ａにて時計回りの方向Ｙ１に回動させる。すると、箱体１が連結帯３を挟んで蓋体２の上板２１上に載置される状態となる。この状態を、図８ｂに示す。
【００３１】
次に、図８ｂにて、箱体１の前板１２の下端と蓋体２の前板２２の上端が連結帯３を介して接する部分Ｐ５を枢軸として蓋体２全体を図８ｂにて時計回りの方向Ｙ２に回動させる。すると、図９ａに示すように、蓋体２と箱体１が併置される状態となる。ここで、蓋体２と箱体１は、箱体１の前板１２の端部と蓋体２の前板２２の端部が連絡帯３を介した状態で当接しているので、この部分Ｐ６を枢軸として、蓋体２を時計回りの方向Ｙ３に回動させる。
【００３２】
すると、蓋体２は中箱４の上部の露出された部分に嵌めこまれて、図９ｂに示すように蓋体２が完全に閉じられた状態、すなわち図１ｂに示す状態となる。この状態にて、図１ｂに示すように、蓋体２の上板２１の表面に印刷された猫の絵柄ＣＴと色面Ｃｃｔと文字Ｌｃｔの組み合わせは、蓋付箱Ａの全体の上面に露出された状態となる。また、連結帯３は箱体１の下板１１、前板１２、後板１３に巻回された状態である。
【００３３】
このようにして、図４、図５ａに示す完全に展開された状態から２通りの操作方法によって、２通りの異なる外観状態、すなわち、図１ａに示された外観状態と図１ｂに示された外観状態が得られる。すなわち、同一の構成の蓋付箱Ａから２通りの異なる外観状態が得られるわけで、蓋付箱Ａはリバーシブルな用途に対応できるもの、すなわち、２通りの異なる外観を呈せしむるものであるといい得る。
【００３４】
なお、蓋付箱Ａの素材としては、紙、合成樹脂、木、皮革、金属等、通常の箱に用いることができる素材はすべて用いることが可能である。また、箱体１は木製、蓋体２は合成樹脂製というように、各部分にて素材を変えることも無論自由である。
【００３５】
さらには、箱体１、蓋体２、連結帯３、中箱４のいかなる部分にてもエンボスや刻切にて模様やパターンを浮かび上がらせたり、さらにその模様やパターンに彩色したりすることも当然自由に行われ得る。また、中箱を省いたり鍵を付けたり、別途に補強用の蝶番の役割をする部材を付加することもやはり自由である。このように、素材やエンボスの付与や別部材の導入は、解決手段に記載の本考案の本質部分には影響を与えるものではなく、それらはすべて本考案の範囲内に含まれ得るものである。
【産業上の利用可能性】
【００３６】
実施例１の蓋付箱Ａにおいては、図１ａに示すように犬の絵柄ＤＧと色面Ｃｄｇと文字Ｌｄｇの組み合わせが表示される場合と図１ｂに示すように猫の絵柄ＣＴと色面Ｃｃｔと文字Ｌｃｔの組み合わせが表示される場合のリバーシブルであるが、これを例えば、赤色の色面が表示される場合（図示せず）と青色の色面が表示される場合（図示せず）のリバーシブルとすれば、同一の蓋付箱を、バレンタインのチョコレート容器にも、ホワイトデーのチョコレート容器にも用いることができる。
【００３７】
さらには、色面や図柄や文字の変更によって男性用と女性用のリバーシブルとしたり、和菓子用と洋菓子用のリバーシブルとしたりと、アイデア次第でさまざまな用途が開発される。さらには、簡単な操作で蓋付箱の外観が全く変化してしまうという手品的な面白さから、単なる容器のみでも販売可能である。あるいは、全体が白紙状態あるいは無地状態で、購入した人が好みの絵柄や文字を描いてオリジナルのリバーシブルボックスとして楽しむことも可能である。
【００３８】
このように、本考案の連結帯を有する蓋付箱は、構成的には同一の展開された状態から簡単な操作で２通りの外観を呈せしむることができるという特徴から、流通業界、あるいは小売業界において、さまざまな新たな販路を開拓し得る可能性に満ちており、産業上極めて有益な考案であるといい得るものである。
【符号の説明】
【００３９】
１          箱体
１１        下面
１２        前面
１３        後面
２          蓋体
２１        上面
２２        前面
２３        後面
３          連結帯
３０        本体
３１        表面
３２        裏面
３ａ        一端
３ｂ        他端
３ｃ        部分
３ｄ        部分
４          中箱
Ａ          蓋付箱
Ｂ１        箱体
ＢＸ        蓋付箱
ＢＹ        蓋付箱
Ｃ１        蓋体
Ｃ２        蓋体
ＣＴ        図柄
Ｃｃｔ      色面
Ｃｄｇ      色面
ＤＧ        図柄
Ｌｃｔ      文字
Ｌｄｇ      文字
Ｎ１        中箱
Ｐ１        部分
Ｐ２        部分
Ｐ３        部分
Ｐ４        部分
Ｐ５        部分
Ｐ６        部分
Ｘ１        方向
Ｘ２        方向
Ｘ３        方向
Ｘ４        方向
Ｙ１        方向
Ｙ２        方向
Ｙ３        方向
【図５】
0003158745.tif 000003
【図６】
0003158745.tif 000004
【図７】
0003158745.tif 000005
【図８】
0003158745.tif 000006
【図９】
0003158745.tif 000007
【図１】
0003158745.tif 000008
【図２】
0003158745.tif 000009
【図３】
0003158745.tif 000010
【図４】
0003158745.tif 000011
【図１０】
0003158745.tif 000012